(57)【要約】【課題】使い勝手を向上する。【解決手段】紙幣入出金機１０は、スライド溝３２に対する下側に設けられたシャフト３６を軸として回動可能に構成され、レバーロックポジションにおいてポスト１６ｐに当接することにより、一時保留部１６をハーフポジションで保持するハーフロックレバー４０を設け、ハーフロックレバー４０は、レバーロックポジションにおいて閉鎖方向側が開放され内部にポスト１６ｐを移動可能に保持する係止溝４０ｇと、レバーロックポジションにおいて係止溝４０ｇの閉鎖方向側に形成されており、閉鎖方向へ向かって上方向へ傾斜する閉鎖時傾斜面４０ｐｂとを設け、ハーフポジションから閉鎖方向へ向かって一時保留部１６が移動した際に、ポスト１６ｐが閉鎖時傾斜面４０ｐｂに当接することにより、退避方向ｒ１へ回動してレバー退避ポジションとなり、閉鎖方向へのポスト１６ｐの移動経路から退避するようにする。【選択図】図７
2020194241.tif 000002
【特許請求の範囲】
【請求項１】
内部に媒体を収納し、移動方向に沿って開放方向と該開放方向とは逆方向の閉鎖方向とに移動可能な収納部と、
前記収納部の前記移動方向に沿って形成され、前記収納部と共に移動する突起部を前記移動方向に沿って内部に移動可能に保持するスライド溝部と、
前記スライド溝部に対し、前記スライド溝部が延びる方向に直交する溝直交方向の一方向側に設けられた所定の回動軸を軸として回動可能に構成され、ロックポジションにおいて前記突起部に当接することにより、前記開放方向へ移動した前記収納部を第１開放ポジションで保持するレバーと、
前記ロックポジションにおける前記レバーに当接し、前記突起部の移動経路に露出する回動方向であるロック方向への前記レバーの回動を規制するストッパと
を有し、
前記レバーは、
前記ロックポジションにおいて前記閉鎖方向側が開放され内部に前記突起部を移動可能に保持する溝部と、
前記ロックポジションにおいて前記溝部の前記閉鎖方向側に形成されており、前記閉鎖方向へ向かって前記移動方向に対し前記回動軸から離隔する方向へ傾斜する第１傾斜面と
を具え、
前記第１開放ポジションから前記閉鎖方向へ向かって前記収納部が移動した際に、前記突起部が前記第１傾斜面に当接することにより、前記突起部の移動経路から退避する回動方向である退避方向へ回動して退避ポジションとなり、前記閉鎖方向への前記突起部の移動経路から退避する
媒体処理装置。
【請求項２】
前記レバーは、
前記第１開放ポジションにおいて、前記突起部の移動経路に露出する回動方向であるロック方向へ回動しようとし、
前記突起部が前記閉鎖方向へ移動して前記第１傾斜面に当接すると、前記退避方向へ付勢される
請求項１に記載の媒体処理装置。
【請求項３】
前記スライド溝部は、ほぼ水平方向に沿って延設され、
前記レバーは、
前記第１開放ポジションにおいて、重心が前記回動軸よりも前記開放方向側に位置し、
前記突起部が前記第１傾斜面に当接すると、重心が前記回動軸よりも前記閉鎖方向側へ移動する
請求項２に記載の媒体処理装置。
【請求項４】
前記レバーは、
前記第１傾斜面よりも前記閉鎖方向側において、前記開放方向へ向かって、前記溝直交方向の他方向側へ傾斜する第２傾斜面をさらに有し、
前記ロックポジションにおいて前記開放方向へ向かって前記収納部が移動した際に、前記突起部が前記第２傾斜面に当接することにより、前記退避方向へ回動して前記突起部を前記溝部へ入り込ませ、前記溝部に前記突起部が入り込んで前記収納部が前記開放方向へさらに移動すると、前記ロック方向へ回動して再び前記ロックポジションとなる
請求項１乃至請求項３の何れかに記載の媒体処理装置。
【請求項５】
前記レバーは、
前記第２傾斜面よりも前記ロック方向側に形成され前記退避方向へ向かって突出し、前記突起部が前記第２傾斜面よりも前記開放方向側へ移動する際に、前記突起部に当接し、前記レバーの前記退避方向への回動を規制する突起部ガイド部
をさらに有する請求項４に記載の媒体処理装置。
【請求項６】
前記収納部は、
前記レバーが前記退避ポジションのまま前記開放方向へ移動し、前記第１開放ポジションよりも前記開放方向側である第２開放ポジションまで移動すると、前記収納部よりも下側に位置する他の収納部における前記媒体処理装置に対する脱着経路から退避する一方、  内部で詰まった前記媒体を外部へ排出する際に、前記レバーが前記退避ポジションから前記ロックポジションへ回動され、前記第１開放ポジションまで移動して前記開放方向への移動が規制され、前記第２開放ポジションの場合よりも狭い空間を前記収納部の前記閉鎖方向側に形成する
請求項１に記載の媒体処理装置。
【請求項７】
前記収納部は、前記媒体を一時的に収納する一時保留部である
請求項１乃至請求項６の何れかに記載の媒体処理装置。
【請求項８】
紙葉状の媒体に関する取引を受け付ける利用者応対部と、
内部に前記媒体を収納し、移動方向に沿って開放方向と該開放方向とは逆方向の閉鎖方向とに移動可能な収納部と、
前記収納部の前記移動方向に沿って形成され、前記収納部と共に移動する突起部を前記移動方向に沿って内部に移動可能に保持するスライド溝部と、
前記スライド溝部に対し、前記スライド溝部が延びる方向に直交する溝直交方向の一方向側に設けられた所定の回動軸を軸として回動可能に構成され、ロックポジションにおいて前記突起部に当接することにより、前記開放方向へ移動した前記収納部を第１開放ポジションで保持するレバーと、
前記ロックポジションにおける前記レバーに当接し、前記突起部の移動経路に露出する回動方向であるロック方向への前記レバーの回動を規制するストッパと
を有し、
前記レバーは、
前記ロックポジションにおいて前記閉鎖方向側が開放され内部に前記突起部を移動可能に保持する溝部と、
前記ロックポジションにおいて前記溝部の前記閉鎖方向側に形成されており、前記閉鎖方向へ向かって前記移動方向に対し前記回動軸から離隔する方向へ傾斜する第１傾斜面と
を具え、
前記第１開放ポジションから前記閉鎖方向へ向かって前記収納部が移動した際に、前記突起部が前記第１傾斜面に当接することにより、前記突起部の移動経路から退避する回動方向である退避方向へ回動して退避ポジションとなり、前記閉鎖方向への前記突起部の移動経路から退避する
媒体取引装置。
【発明の詳細な説明】
【技術分野】
【０００１】
本発明は媒体処理装置及び媒体取引装置に関し、例えば紙幣のような紙葉状の媒体を投入して所望の取引を行う現金自動預払機（ＡＴＭ：Automatic Teller Machine）等に適用して好適なものである。
【背景技術】
【０００２】
従来、金融機関等で使用される現金自動預払機においては、使用者（金融機関の顧客等）との取引内容に応じて、例えば該使用者に紙幣や硬貨等の現金を入金させる入金取引や、使用者へ現金を出金する出金取引等の各種取引を行う。また現金自動預払機の種類として、ある取引において使用者から入金された紙幣を次回以降の取引において再利用して他の使用者へ出金する、いわゆるリサイクル型（又は環流型）と呼ばれるものがある。
【０００３】
このようなリサイクル型の現金自動預払機として、例えば紙幣の入出金に関する処理を行う紙幣入出金機を搭載したものがある。この紙幣入出金機は、例えば使用者との間で紙幣の授受を行う接客部と、紙幣を搬送する搬送部と、投入された紙幣の金種及び真偽等を鑑別する鑑別部と、投入された紙幣を一時的に保留する一時保留部とを有している。また紙幣入出金機は、再利用可能な紙幣を金種ごとに分けて収納する紙幣収納庫と、再利用すべきでない紙幣を収納するリジェクト庫とを有している（例えば、特許文献１参照）。
【０００４】
またこのようなリサイクル型の現金自動預払機には、通常状態のクローズポジションにおいて一時保留部がリジェクト庫の上方に位置し、リジェクト庫の脱着のために一時保留部が上下方向へ移動するリジェクト庫の移動経路から退避するまで大きく後方へ移動しオープンポジションとなるものがある。
【先行技術文献】
【特許文献】
【０００５】
【特許文献１】特開２０１６−９９８４４号公報
【発明の概要】
【発明が解決しようとする課題】
【０００６】
また一時保留部は、該一時保留部内部において、紙幣が詰まるジャム等で内部に残留した紙幣を前方外部に巻き戻す機能がある。紙幣を巻き戻す場合、一時保留部がオープンポジションにあると一時保留部の前方のスペースが大きく開いてしまい、巻き戻された紙幣が暴れてしまう。このため現金自動預払機においては、クローズポジションにある一時保留部をクローズポジションとオープンポジションとの間のハーフポジションまで移動させて停止させる必要があると共に、ハーフポジションからクローズポジションまで容易に一時保留部を戻すことが望まれている。
【０００７】
本発明は以上の点を考慮してなされたもので、使い勝手を向上し得る媒体処理装置及び媒体取引装置を提案しようとするものである。
【課題を解決するための手段】
【０００８】
かかる課題を解決するため本発明の媒体処理装置においては、内部に媒体を収納し、移動方向に沿って開放方向と該開放方向とは逆方向の閉鎖方向とに移動可能な収納部と、収納部の移動方向に沿って形成され、収納部と共に移動する突起部を移動方向に沿って内部に移動可能に保持するスライド溝部と、スライド溝部に対し、スライド溝部が延びる方向に直交する溝直交方向の一方向側に設けられた所定の回動軸を軸として回動可能に構成され、ロックポジションにおいて突起部に当接することにより、開放方向へ移動した収納部を第１開放ポジションで保持するレバーと、ロックポジションにおけるレバーに当接し、突起部の移動経路に露出する回動方向であるロック方向へのレバーの回動を規制するストッパとを設け、レバーは、ロックポジションにおいて閉鎖方向側が開放され内部に突起部を移動可能に保持する溝部と、ロックポジションにおいて溝部の閉鎖方向側に形成されており、閉鎖方向へ向かって移動方向に対し回動軸から離隔する方向へ傾斜する第１傾斜面とを具え、第１開放ポジションから閉鎖方向へ向かって収納部が移動した際に、突起部が第１傾斜面に当接することにより、突起部の移動経路から退避する回動方向である退避方向へ回動して退避ポジションとなり、閉鎖方向への突起部の移動経路から退避するようにした。
【０００９】
また本発明の媒体取引装置においては、紙葉状の媒体に関する取引を受け付ける利用者応対部と、内部に媒体を収納し、移動方向に沿って開放方向と該開放方向とは逆方向の閉鎖方向とに移動可能な収納部と、収納部の移動方向に沿って形成され、収納部と共に移動する突起部を移動方向に沿って内部に移動可能に保持するスライド溝部と、スライド溝部に対し、スライド溝部が延びる方向に直交する溝直交方向の一方向側に設けられた所定の回動軸を軸として回動可能に構成され、ロックポジションにおいて突起部に当接することにより、開放方向へ移動した収納部を第１開放ポジションで保持するレバーと、ロックポジションにおけるレバーに当接し、突起部の移動経路に露出する回動方向であるロック方向へのレバーの回動を規制するストッパとを設け、レバーは、ロックポジションにおいて閉鎖方向側が開放され内部に突起部を移動可能に保持する溝部と、ロックポジションにおいて溝部の閉鎖方向側に形成されており、閉鎖方向へ向かって移動方向に対し回動軸から離隔する方向へ傾斜する第１傾斜面とを具え、第１開放ポジションから閉鎖方向へ向かって収納部が移動した際に、突起部が第１傾斜面に当接することにより、突起部の移動経路から退避する回動方向である退避方向へ回動して退避ポジションとなり、閉鎖方向への突起部の移動経路から退避するようにした。
【００１０】
本発明は、開放方向へ移動する収納部の突起部をロックポジションにされたレバーに係止させることにより第１開放ポジションよりも開放方向側へ収納部が移動しないように保持すると共に、レバーが操作されることなく収納部が閉鎖方向へ移動されるだけで、収納部によりレバーを退避方向へ回動させて退避ポジションとし、収納部をクローズポジションへ移動させることができる。
【発明の効果】
【００１１】
本発明によれば、使い勝手を向上し得る媒体処理装置及び媒体取引装置を実現できる。
【図面の簡単な説明】
【００１２】
【図１】現金自動預払機の外観構成を示す斜視図である。
【図２】紙幣入出金機の内部構成を示す左側面図である。
【図３】クローズポジションを示す左側面図である。
【図４】ハーフポジションを示す左側面図である。
【図５】オープンポジションを示す左側面図である。
【図６】ハーフロックレバーの構成を示す斜視図である。
【図７】第１の実施の形態によるハーフオープン動作を示す左側面図である。
【図８】第１の実施の形態によるクローズ動作を示す左側面図である。
【図９】比較例のハーフロック機構を示す左側面図である。
【図１０】第２の実施の形態によるハーフオープン動作を示す左側面図である。
【図１１】第２の実施の形態によるクローズ動作を示す左側面図である。
【発明を実施するための形態】
【００１３】
以下、発明を実施するための形態（以下実施の形態とする）について、図面を用いて説明する。
【００１４】
［１．第１の実施の形態］
［１−１．現金自動預払機の全体構成］
図１に外観を示すように現金自動預払機１は、箱状の筐体２を中心に構成されており、例えば金融機関や各種商業施設等に設置され、使用者（すなわち金融機関や商業施設の顧客等）との間で、入金処理や出金処理等の現金に関する取引を行う。
【００１５】
筐体２は、その前側に使用者が対峙した状態で紙幣の投入やタッチパネルによる操作等をしやすい箇所に応対部３が設けられている。応対部３は、カード入出口４、入出金口５、操作表示部６、テンキー７及びレシート発行口８が設けられており、使用者との間で例えば現金やカード等を直接やり取りすると共に、取引に関する情報の通知や操作指示の受付を行う。
【００１６】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、使用者によって入金される紙幣が投入されると共に、使用者へ出金する紙幣が排出される部分である。また入出金口５は、シャッタを駆動することにより開放又は閉塞する。
【００１７】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１８】
筐体２は、該筐体２により囲まれた内部空間と外部とを連通させる筐体開口部２Ａが後面側に形成され、筐体開口部２Ａを開閉可能な後面扉２Ｄが開口側である後面側に設けられている。筐体２は、顧客との間で取引処理が行われる取引動作時の場合には後面扉２Ｄを閉鎖することにより、現金自動預払機１の内部を保護する。一方、筐体２は、保守員や金融機関の行員等の作業者により保守作業が行われる保守作業時の場合には、必要に応じて後面扉２Ｄを開放することにより、内部の各部に対する作業を容易に行わせ得る。
【００１９】
現金自動預払機１は、保守作業が行われる保守面が左面側となっており、保守作業時には、後面扉２Ｄが開放され、後述する下部ユニット１０Ｌ又は上部ユニット１０Ｕ（図２）が筐体２から引き出され、下部ユニット１０Ｌ又は上部ユニット１０Ｕ（図２）に対し左面側から保守作業が行われる。
【００２０】
以下では、現金自動預払機１のうち使用者が対峙する側を前側とし、その反対を後側とし、該前側に対峙した使用者から見て左及び右をそれぞれ左側及び右側とし、さらに上側及び下側を定義して説明する。
【００２１】
筐体２の内部には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金処理や出金処理等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２２】
［１−２．紙幣入出金機の構成］
図２に示すように媒体処理装置としての紙幣入出金機１０は、内部に紙幣に関する種々の処理を行う複数の部分が組み込まれている。この紙幣は、例えば紙や樹脂等の材料により、薄い長方形の紙葉状に形成されている。
【００２３】
紙幣入出金機１０は、大きく分けて、全体の外側部分を構成する紙幣入出金機フレーム１０Ｆと、該紙幣入出金機フレーム１０Ｆにおける上下方向のほぼ中央よりも上側部分を占める上部ユニット１０Ｕと、その下側部分を占める下部ユニット１０Ｌとにより構成されている。
【００２４】
紙幣入出金機フレーム１０Ｆは、筐体２（図１）の内部に取り付けられている。上部ユニット１０Ｕ及び下部ユニット１０Ｌは、この紙幣入出金機フレーム１０Ｆに対し、それぞれ前後方向に沿ったスライドレール（図示せず）を介して取り付けられている。このため紙幣入出金機１０では、筐体２の後面扉２Ｄが開放された状態において、紙幣入出金機フレーム１０Ｆに対し上部ユニット１０Ｕ及び下部ユニット１０Ｌをそれぞれ後方へ引き出すことができる。また紙幣入出金機１０では、上部ユニット１０Ｕ及び下部ユニット１０Ｌを前方へ押し込むことにより、図２に示したように、紙幣入出金機フレーム１０Ｆ内にそれぞれ格納することができる。
【００２５】
［１−３．上部ユニットの構成］
図２に示すように上部ユニット１０Ｕには、全体を統括制御する紙幣制御部１１、接客部１２、上前搬送部１３、鑑別部１４、上後搬送部１５、一時保留部１６及びリジェクト庫１７が設けられている。
【００２６】
上部ユニット１０Ｕにおける後側部分には、図３乃至図５に示す上後側フレーム３０が設けられている。なお図３乃至図５においては後述するストッパ当接部４０ｓは図示せず省略する。上後側フレーム３０は、上端部が一時保留部１６の左側及び下側に位置しており、一時保留部１６を移動可能に保持すると共に、リジェクト庫１７を着脱可能に保持する。上後側フレーム３０の後寄りの上端部には、左右方向に貫通するスライド溝３２が設けられている。スライド溝３２は、全体的に前後方向に沿って細長く形成されている。このスライド溝３２は、上下方向の長さ、すなわち上下方向の溝幅が前端から後端までに亘ってほぼ一定であり、前側及び前後中央部分が水平方向に沿い、後端が下方へ向かって僅かに湾曲している。スライド溝３２の下端面は、図７及び図８に示す溝回動軸側端面３２ｄＳとなっている。
【００２７】
また上後側フレーム３０（図７及び図８）の左側面には、レバーロックポジションにおけるハーフロックレバー４０のストッパ当接部４０ｓと当接し、それ以上のハーフロックレバー４０のロック方向ｒ２への回動を規制するストッパ３４が設けられている。
【００２８】
紙幣制御部１１は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１１は、内部にＲＡＭ及びフラッシュメモリ等でなる記憶部を有しており、この記憶部に種々の情報を記憶させる。
【００２９】
接客部１２は、使用者との間で紙幣を受け渡すことにより、該使用者に紙幣を入金させ、又は該使用者に紙幣を出金する。接客部１２は、紙幣を収容する収容器や、開口部を開閉するシャッタ、紙幣を１枚ずつに分離して繰り出す分離部、及び搬送されてきた紙幣を集積する集積部等を有している。この接客部１２は、使用者により紙幣が収容器に投入されると、シャッタを閉塞し、分離部により紙幣を１枚ずつに分離して、下側に位置する上前搬送部１３に順次引き渡す。また接客部１２は、後側の上後搬送部１５から紙幣が搬送されてくると、これを集積部により収容器内に順次放出して集積してから、シャッタを開放して使用者に受け取らせる。
【００３０】
上前搬送部１３は、上側の接客部１２、後側の鑑別部１４及び下側の下搬送部２１とそれぞれ接続される３本の搬送路を有しており、これらの接続部分に切替器が設けられている。この上前搬送部１３は、紙幣制御部１１の制御に基づき、接客部１２及び鑑別部１４を接続する搬送経路と、鑑別部１４及び下搬送部２１を接続する搬送経路とに搬送路を切り替える。
【００３１】
鑑別部１４は、接客部１２の下側且つ上前搬送部１３の後側に位置している。鑑別部１４は、その内部において、前後方向に沿った搬送路が形成され、この搬送路に沿って磁気センサ、イメージセンサ及び厚みセンサ等の複数のセンサが配置されている。この鑑別部１４は、搬送路に沿って搬送される紙幣から各センサにより得られる種々の検知結果を鑑別結果として紙幣制御部１１へ送出する。これに応じて紙幣制御部１１は、この鑑別結果を基に紙幣の金種、真偽、正損（損傷しているか否か）等を判断すると共に搬送状態を認識し、得られた結果を基に該紙幣の搬送経路や搬送先を決定する。
【００３２】
上後搬送部１５は、接客部１２及び鑑別部１４の後側に位置している。この上後搬送部１５は、接客部１２、鑑別部１４、一時保留部１６、リジェクト庫１７及び下搬送部２１とそれぞれ接続される複数本の搬送路が形成されており、各搬送路の接続箇所に切替器がそれぞれ設けられている。
【００３３】
この上後搬送部１５は、紙幣制御部１１の制御に基づき、鑑別部１４及び接客部１２を接続する搬送経路と、鑑別部１４及び一時保留部１６を接続する搬送経路と、鑑別部１４及び下搬送部２１を接続する搬送経路とに搬送路を切り替える。これに加えて上後搬送部１５は、一時保留部１６及び接客部１２を接続する搬送経路と、下搬送部２１及びリジェクト庫１７を接続する搬送経路とに搬送路を切り替える。
【００３４】
一時保留部１６は、いわゆるテープエスクロ方式を採用しており、円筒状に形成され回転するドラムや、このドラムの周側面に一端が固定されたテープ、このテープを他端側から巻き取るリール、及びテープを所定の走行路に沿って走行させるプーリ等が、一時保留部フレーム１６ｆ（図３乃至図５）に取り付けられている。この一時保留部１６は、上後搬送部１５から紙幣を受け取ると、ドラムを所定の巻取方向に回転させ、この紙幣をテープと共に周側面に巻き付けて収納する。また一時保留部１６は、ドラムを巻取方向と反対の巻戻方向に回転させると、該ドラムの周側面からテープと共に紙幣を引き剥がし、これを繰り出して上後搬送部１５に順次引き渡す。
【００３５】
図３乃至図８に示すように、一時保留部フレーム１６ｆにおける下端部の前端部からは、円柱状でなるポスト１６ｐが上後側フレーム３０、すなわち左方向へ向けて立設されている。ポスト１６ｐは、直径がスライド溝３２の溝幅よりも僅かに短くなっており、スライド溝３２の内部に挿通されている。ポスト１６ｐは、スライド溝３２の内部をほぼ水平方向に沿って前後方向に移動するように摺動可能となっている。このため一時保留部１６は、スライド溝３２に沿ってほぼ前後方向へ往復移動可能となっており、図３に示すクローズポジションと、図４に示す第１開放ポジションとしてのハーフポジションと、図５に示す第２開放ポジションとしてのオープンポジションとを遷移可能となっている。
【００３６】
リジェクト庫１７は、内部に紙幣を収納する収納空間を有すると共に、この収納空間内へ紙幣を放出する放出機構を有している。このリジェクト庫１７は、例えば損傷の程度が大きく出金すべきで無いと判断された紙幣（以下これをリジェクト紙幣と呼ぶ）を上後搬送部１５から受け取ると、この紙幣を放出機構により収納空間内へ放出し、集積した状態で収納する。
【００３７】
紙幣入出金機１０は、取引動作時の場合には、図３に示すようにリジェクト庫１７が上後側フレーム３０に取り付けられると共に、一時保留部１６がリジェクト庫１７の上方に位置するクローズポジションとなる。
【００３８】
一方、紙幣入出金機１０は、リジェクト庫１７が紙幣入出金機１０に対し着脱される保守作業時の場合には、一時保留部１６がクローズポジションから、最も後側である図５に示すオープンポジションへと保守員により移動されることにより、リジェクト庫１７の着脱経路から退避し、リジェクト庫１７を紙幣入出金機１０に対し着脱可能にする。オープンポジションにおいてポスト１６ｐは、スライド溝３２の後端部に位置している。
【００３９】
また一方、紙幣入出金機１０は、一時保留部１６内で詰まった紙幣を巻き戻して外部へ繰り出す保守作業時の場合には、一時保留部１６がクローズポジションから、クローズポジションとオープンポジションとの間の、図４に示すハーフポジションへと保守員により移動される。このため紙幣入出金機１０は、一時保留部１６の前方の外部の空間に、紙幣の短手方向よりもやや広い程度のスペースを形成することにより、一時保留部１６から前方へ紙幣を繰り出した際に、紙幣が移動可能な空間を狭め、紙幣が暴れてしまうことを防止できる。
【００４０】
［１−４．下部ユニットの構成］
図２に示すように下部ユニット１０Ｌには、下搬送部２１及び紙幣収納庫２２（２２Ａ、２２Ｂ、２２Ｃ及び２２Ｄ）が設けられている。
【００４１】
下搬送部２１は、上前搬送部１３、鑑別部１４、上後搬送部１５及びリジェクト庫１７の下側に位置しており、ローラやベルト、或いはこれらを駆動するモータ等により、上前搬送部１３、上後搬送部１５及び４個の紙幣収納庫２２とそれぞれ接続された搬送路が形成されると共に、各搬送路の接続箇所に切替器がそれぞれ設けられている。この下搬送部２１は、紙幣制御部１１の制御に基づき、上前搬送部１３及び各紙幣収納庫２２を接続する搬送経路と、上後搬送部１５及び各紙幣収納庫２２を接続する搬送経路とに搬送路を切り替える。
【００４２】
紙幣収納庫２２は、前側から後側へ向けて、再利用（リサイクル）が可能な紙幣を収納する４個の紙幣収納庫２２（２２Ａ、２２Ｂ、２２Ｃ及び２２Ｄ）が前後方向に沿って配置されている。各紙幣収納庫２２は、上下方向に長い直方体状に形成されており、紙幣を集積して収納する収納空間、該収納空間の上側に配置され紙幣の分離処理及び放出処理を行う分離放出部等がその内部に設けられている。また各紙幣収納庫２２は、それぞれ収納すべき紙幣の金種が予め設定されている。紙幣収納庫２２は、紙幣を収納する収納処理を行う場合、上側の下搬送部２１から紙幣を受け取ると、この紙幣を収納庫搬送部により分離放出部へ搬送して収納空間内へ放出し、該収納空間内に集積した状態で収納する。また紙幣収納庫２２は、紙幣を繰り出す繰出処理を行う場合、収納空間内に集積された紙幣を分離放出部により１枚ずつに分離し、これを収納庫搬送部により上方へ搬送して上側の下搬送部２１に引き渡すことにより繰り出す。
【００４３】
［１−５．ハーフロックレバーの構成］
上後側フレーム３０におけるスライド溝３２の左側には、ハーフロックレバー４０が設けられている。なお図６においては、後述するレバーロックポジションから僅かに退避方向ｒ１へ回動し本体部４０ｍの下端面が水平方向に沿った状態のハーフロックレバー４０を示している。ハーフロックレバー４０は、金属板により形成されており、上下前後方向に延びる板状部である本体部４０ｍを中心に構成されている。
【００４４】
ハーフロックレバー４０の下端部の後側寄りには、回動支点孔部４０ｐａが穿設されている。回動支点孔部４０ｐａには、上後側フレーム３０におけるスライド溝３２に対する一方向側である下方向側に設けられたシャフト３６（図７及び図８）が回動可能に挿入されている。このためハーフロックレバー４０は、シャフト３６の中心軸である回動支点Ｐｐ（図７及び図８）を軸として左側面視で時計回りである退避方向ｒ１と反時計回りであるロック方向ｒ２とに回動可能に構成されている。
【００４５】
本体部４０ｍにおける下端部の前側寄りには、肉抜き孔４０ａが穿設されている。ハーフロックレバー４０は、回動支点孔部４０ｐａよりも前側に肉抜き孔４０ａを設けることより、回動支点孔部４０ｐａよりも前側の重量を軽量化している。
【００４６】
本体部４０ｍにおける肉抜き孔４０ａの上方には、前後方向の中央部が上方へ突出する隆起部４０ｐが形成されている。隆起部４０ｐは、第２傾斜面としての開放時傾斜面４０ｐｆ、閉鎖時傾斜面４０ｐｂ及び突出部４０ｐｐが形成されている。開放時傾斜面４０ｐｆは、隆起部４０ｐの前半分程度の範囲を占めており、ハーフロックレバー４０がレバーロックポジション（図７（Ｂ））にいる際に、前方から後方へ向かうに連れて上方へ向かうように、スライド溝３２が延びる前後方向に対し傾斜する面である。閉鎖時傾斜面４０ｐｂは、隆起部４０ｐの後半分程度の範囲を占めており、ハーフロックレバー４０がレバーロックポジション（図７（Ｂ））にいる際に、後方から前方へ向かうに連れて上方へ向かうように、スライド溝３２が延びる前後方向に対し傾斜する面である。突出部４０ｐｐは、開放時傾斜面４０ｐｆと閉鎖時傾斜面４０ｐｂとの間に形成され、隆起部４０ｐのうち最も上方へ突出する箇所である。
【００４７】
本体部４０ｍにおける上端部からは、側面視で略三角形状の回動軸逆側突出部４０ｇｐが、前端部が隆起部４０ｐにおける突出部４０ｐｐのほぼ真上程度まで、退避方向に含まれる一方向である前方へ突出している。突起部ガイド部としての回動軸逆側突出部４０ｇｐは、下端面が、係止溝４０ｇの上端面となっており、前方から後方へ向かうに連れて閉鎖時傾斜面４０ｐｂとほぼ平行に下方へ向かうように、スライド溝３２が延びる前後方向に対し傾斜している。
【００４８】
本体部４０ｍにおける閉鎖時傾斜面４０ｐｂと回動軸逆側突出部４０ｇｐとの間には、係止溝４０ｇが穿設されている。係止溝４０ｇは、前端部が開放されており、ポスト１６ｐ（図７及び図８）の外形よりも僅かに大きい幅を有し、前方から後方へ向かうに連れて下方へ向かうように、本体部４０ｍの前後方向の中央部近辺まで直線状に延びている。また係止溝４０ｇは、後端部において、係止溝端部４０ｇｅが形成されている。
【００４９】
本体部４０ｍにおける回動支点孔部４０ｐａの上方には、回動取手４０ｈが形成されている。回動取手４０ｈは本体部４０ｍから左方へ向かって突出しており、保守員によりハーフロックレバー４０がレバー退避ポジション（図７（Ａ））からレバーロックポジション（図７（Ｂ））へ遷移される際に操作される。
【００５０】
本体部４０ｍにおける後端部には、ストッパ当接部４０ｓが形成されている。ストッパ当接部４０ｓは、レバーロックポジションにおいてストッパ３４（図７及び図８）に当接することにより、それ以上のハーフロックレバー４０のロック方向ｒ２への回動を規制する。
【００５１】
以下では、一時保留部１６を前後方向に移動させると共にハーフポジションで保持する、スライド溝３２、ポスト１６ｐ、ハーフロックレバー４０及びストッパ３４をまとめて、ハーフロック機構５０とも呼ぶ。
【００５２】
［１−６．一時保留部の移動動作］
次に、一時保留部１６が移動する動作について説明する。
［１−６−１．ハーフオープン動作］
まず、クローズポジションからハーフポジションへ一時保留部１６が移動する動作であるハーフオープン動作について説明する。
【００５３】
一時保留部１６がクローズポジションにいる場合、図７（Ａ）に示すように、ポスト１６ｐはスライド溝３２の前端部に位置している。またこのとき、ハーフロックレバー４０は、スライド溝３２の溝回動軸側端面３２ｄＳよりも下方へ退避してレバー退避ポジションとなっており、所定の係止部が上後側フレーム３０における所定のストッパに当接することにより、レバー退避ポジションにおいてそれ以上の退避方向ｒ１への回動が規制されている。
【００５４】
この状態から保守員がハーフロックレバー４０の回動取手４０ｈに触れることにより、図７（Ｂ）に示すように、ストッパ当接部４０ｓがストッパ３４に当接するまで、回動支点Ｐｐを軸としてハーフロックレバー４０をロック方向ｒ２へ回動させる。これによりハーフロックレバー４０は、レバーロックポジションとなる。レバーロックポジションにおいてハーフロックレバー４０は、隆起部４０ｐの開放時傾斜面４０ｐｆがスライド溝３２の溝回動軸側端面３２ｄＳよりも上側に位置する。またハーフロックレバー４０は、重心ＧＣが回動支点Ｐｐよりも後側に位置することにより自重でロック方向ｒ２へ回動しようとし、ストッパ当接部４０ｓがストッパ３４に当接することにより、レバーロックポジションにおいてそれ以上のロック方向ｒ２への回動が規制されている。
【００５５】
続いて保守員が一時保留部１６を後方である開放方向へ移動させる。これに応じてポスト１６ｐはスライド溝３２内を水平方向に沿って開放方向へ向かって移動し、図７（Ｃ）に示すようにハーフロックレバー４０の開放時傾斜面４０ｐｆに当接する。このとき、開放時傾斜面４０ｐｆが開放方向へ向かうに連れて上方へ、すなわち上下方向に対しシャフト３６から離隔する方向へ向かうように傾斜している、換言すれば、開放時傾斜面４０ｐｆが、開放方向へ向かうに連れてスライド溝３２内の溝幅を徐々に狭めるように傾斜しているため、ポスト１６ｐから開放時傾斜面４０ｐｆへ、後向きの力と共に下向きの力が加わる。このとき、開放時傾斜面４０ｐｆは回動支点Ｐｐよりも上方且つ閉鎖方向側に位置しているため、ハーフロックレバー４０は、ポスト１６ｐによって隆起部４０ｐが押し下げられ、図７（Ｄ）に示すように回動支点Ｐｐを軸として退避方向ｒ１へ回動する。さらに保守員が一時保留部１６を開放方向へ移動させると、ポスト１６ｐがハーフロックレバー４０を回動支点Ｐｐを軸として退避方向ｒ１へ回動させ、隆起部４０ｐの突出部４０ｐｐをスライド溝３２の溝回動軸側端面３２ｄＳと同じ上下位置まで押し下げ、ポスト１６ｐの移動経路から隆起部４０ｐを退避させつつ、開放方向へ移動する。
【００５６】
やがてポスト１６ｐが突出部４０ｐｐの上端部へ到達すると、図７（Ｅ）に示すように、ポスト１６ｐはハーフロックレバー４０の係止溝４０ｇへ入り込み開放方向へ移動する。このときハーフロックレバー４０は、回動軸逆側突出部４０ｇｐがポスト１６ｐの上側面に当接することにより、それ以上ハーフロックレバー４０が退避方向ｒ１へ回動しないように規制される。
【００５７】
さらに保守員が一時保留部１６を開放方向へ移動させると、図７（Ｆ）に示すように、ポスト１６ｐがハーフロックレバー４０の係止溝４０ｇの係止溝端部４０ｇｅに到達し、ストッパ当接部４０ｓがストッパ３４に当接するまで、回動支点Ｐｐを軸としてハーフロックレバー４０をロック方向ｒ２へ回動させる。これによりハーフロックレバー４０は、レバーロックポジションとなる。レバーロックポジションにおいてハーフロックレバー４０は、重心ＧＣが回動支点Ｐｐよりも後側に位置することにより自重でロック方向ｒ２へ回動しようとし、ストッパ当接部４０ｓがストッパ３４に当接することにより、レバーロックポジションにおいてそれ以上のロック方向ｒ２への回動が規制されている。このためハーフロックレバー４０は、ポスト１６ｐを係止溝４０ｇの係止溝端部４０ｇｅに当接させた状態で、ポスト１６ｐのそれ以上の開放方向への移動を規制する。このとき一時保留部１６は、ハーフポジションとなる。これによりハーフロックレバー４０は、ハーフポジションにおいて一時保留部１６のそれ以上の開放方向への移動を規制する。
【００５８】
［１−６−２．クローズ動作］
次に、上述したハーフポジションにおいて一時保留部１６から紙幣が外部へ巻き戻されて排出され保守作業が完了した後に行われる、ハーフポジションからクローズポジションへ一時保留部１６が移動する動作であるクローズ動作について説明する。
【００５９】
一時保留部１６がハーフポジションにいる場合、図８（Ａ）に示すように、ポスト１６ｐはハーフロックレバー４０のスライド溝３２の係止溝端部４０ｇｅに位置している。またレバーロックポジションにおいて、ハーフロックレバー４０は、隆起部４０ｐの閉鎖時傾斜面４０ｐｂがスライド溝３２の溝回動軸側端面３２ｄＳよりも上側に位置する。またハーフロックレバー４０は、重心ＧＣが回動支点Ｐｐよりも後側に位置することにより自重でロック方向ｒ２へ回動しようとし、ストッパ当接部４０ｓがストッパ３４に当接することにより、レバーロックポジションにおいてそれ以上のロック方向ｒ２への回動が規制されている。
【００６０】
この状態から保守員が一時保留部１６を押して前方である閉鎖方向へ移動させる。これに応じてポスト１６ｐはスライド溝３２内を水平方向に沿って閉鎖方向へ向かって移動し、図８（Ｂ）に示すようにハーフロックレバー４０の閉鎖時傾斜面４０ｐｂに当接する。このとき、閉鎖時傾斜面４０ｐｂが閉鎖方向へ向かうに連れて上方へ、すなわち上下方向に対しシャフト３６から離隔する方向へ向かうように傾斜している。換言すれば、閉鎖時傾斜面４０ｐｂが、閉鎖方向へ向かうに連れてスライド溝３２内の溝幅を徐々に狭めるように傾斜しているため、ポスト１６ｐから閉鎖時傾斜面４０ｐｂへ、前向きの力と共に下向きの力が加わる。このとき、閉鎖時傾斜面４０ｐｂは回動支点Ｐｐよりも上方且つ閉鎖方向側に位置しているため、ハーフロックレバー４０は、ポスト１６ｐによって隆起部４０ｐが押し下げられ、回動支点Ｐｐを軸として退避方向ｒ１へ回動する。またこのときハーフロックレバー４０は、重心ＧＣが回動支点Ｐｐよりも後側から前側へ移動することにより自重で退避方向ｒ１へ回動しようとする。さらに保守員が一時保留部１６を閉鎖方向へ移動させると、ポスト１６ｐがハーフロックレバー４０を回動支点Ｐｐを軸として退避方向ｒ１へ回動させ、隆起部４０ｐの突出部４０ｐｐをスライド溝３２の溝回動軸側端面３２ｄＳと同じ上下位置まで押し下げ、ポスト１６ｐの移動経路から隆起部４０ｐを退避させつつ、閉鎖方向へ移動する。
【００６１】
やがて図８（Ｃ）に示すようにポスト１６ｐが突出部４０ｐｐの上端部へ到達し、さらに保守員が一時保留部１６を閉鎖方向へ移動させると、図８（Ｄ）に示すようにポスト１６ｐはハーフロックレバー４０の係止溝４０ｇから抜け出る。
【００６２】
このときハーフロックレバー４０は、重心ＧＣが回動支点Ｐｐよりも前側に位置することにより自重で退避方向ｒ１へ回動し、スライド溝３２の溝回動軸側端面３２ｄＳよりも下方へ退避してレバー退避ポジションとなり、所定の係止部が上後側フレーム３０における所定のストッパに当接することにより、それ以上の退避方向ｒ１への回動が規制される。
【００６３】
さらに保守員が一時保留部１６を閉鎖方向へ移動させると、図８（Ｅ）に示すように、ポスト１６ｐがスライド溝３２の前端部まで到達し、一時保留部１６は、クローズポジションとなる。
【００６４】
このようにハーフロックレバー４０は、クローズ動作が行われる際に、保守員によりハーフロックレバー４０自体を操作されることなく、一時保留部１６を閉鎖方向へ押されるだけで、一時保留部１６のポスト１６ｐによって押されることにより、重心ＧＣが回動支点Ｐｐの上側における開放方向側から閉鎖方向側へ移動し、ポスト１６ｐが係止溝４０ｇから抜け出した際に、自重によりレバー退避ポジションへ回動する。
【００６５】
［１−７．効果等］
以上の構成において現金自動預払機１は、レバーロックポジションにおけるハーフロックレバー４０において、係止溝４０ｇの前方側に、閉鎖方向へ向かって上下方向に対しシャフト３６から離隔する上方向へ傾斜する閉鎖時傾斜面４０ｐｂを形成し、ハーフポジションから閉鎖方向へ向かって一時保留部１６が移動した際に、ポスト１６ｐが閉鎖時傾斜面４０ｐｂに当接することにより、ハーフロックレバー４０を退避方向ｒ１へ回動させてレバー退避ポジションとし、閉鎖方向へのポスト１６ｐの移動経路から退避させるようにした。
【００６６】
このため現金自動預払機１は、一時保留部１６内に詰まった紙幣を巻き戻して排出させてから、ハーフロックレバー４０を操作することなく、一時保留部１６を閉鎖方向へ移動させるだけで、一時保留部１６の移動に応じてハーフロックレバー４０を退避方向ｒ１へ回動させてレバー退避ポジションとし、ハーフポジションからクローズポジションへ一時保留部１６を遷移させることができる。これにより現金自動預払機１は、保守員の手間を削減できる。
【００６７】
ここで、図９に比較例としてのハーフロック機構２５０を示す。ハーフロック機構２５０は、スライド溝２３２が前後方向に沿って延設されており、該スライド溝２３２の内部を、一時保留部１６におけるポスト１６ｐが前後方向に摺動する。またスライド溝２３２において、ハーフオープン状態の一時保留部１６におけるポスト１６ｐが位置する箇所には、英大文字の”Ｖ”が上下反転したような形状であり上方へ突出するＶ字部２３２ｖが形成されている。またＶ字部２３２ｖの上側には、スライド溝２３２の溝幅を狭めるように前後方向に延設された板ばね６２が固定されている。係る構成においてハーフロック機構２５０は、ポスト１６ｐがスライド溝２３２のＶ字部２３２ｖを通過する際に板ばね６２の弾性力によりポスト１６ｐを溝回動軸側端面２３２ｄＳに押し付けように抵抗を与えることにより、一時保留部１６をハーフポジションで保持する。
【００６８】
しかしながらこのようなハーフロック機構２５０の場合、一時保留部１６のハーフポジションは、一時保留部１６から紙幣を外部へ巻き戻す際にのみ必要であるにも関わらず、通常運用においてリジェクト庫１７を脱着する際に、一時保留部１６をクローズポジションとオープンポジションとの間で移動させるときにも、板ばね６２の抵抗を保守員が毎回感じてしまうため、使い勝手が悪かった。特に現金自動預払機においては、通常、一時保留部１６内部でジャムが発生し一時保留部１６をハーフポジションにする機会よりも、一時保留部１６をオープンポジションにしリジェクト庫１７を着脱する機会の方が多い。このため比較例のハーフロック機構２５０では、一時保留部１６をハーフポジションにするという、ほとんど発生しない機会のために、リジェクト庫１７を着脱する際に一時保留部１６を移動させにくくなっていた。
【００６９】
これに対し現金自動預払機１は、クローズポジションからオープンポジションへ一時保留部１６が移動する動作であるフルオープン動作が行われる際は、ハーフロックレバー４０をレバー退避ポジションのままとし、外部からの抵抗を感じることなく、保守員が一時保留部１６を移動させることができる。一方現金自動預払機１は、ハーフオープン動作が行われる際は、保守員がハーフロックレバー４０をレバー退避ポジションからレバーロックポジションへ回動させるだけで、一時保留部１６をハーフポジションで容易に停止させることができる。
【００７０】
またハーフロック機構２５０は、直線形状である板ばね６２の付勢力を利用するために、スライド溝２３２にＶ字部２３２ｖを形成している。しかしながらハーフロック機構２５０は、一時保留部１６をハーフポジションで停止させない通常運用においてはポスト１６ｐにＶ字部２３２ｖを通過させると共に、一時保留部１６をハーフポジションで停止させる際には板ばね６２の付勢力でポスト１６ｐがＶ字部２３２ｖで停止するようにする必要があるため、板ばね６２の付勢力の加減を設定することが困難であり、ハーフポジションにおいてポスト１６ｐがＶ字部２３２ｖで停止しない可能性がある。
【００７１】
これに対し現金自動預払機１は、フルオープン動作が行われる際は、ハーフロックレバー４０をレバー退避ポジションのままとし、外部からの抵抗を感じることなく、保守員が一時保留部１６を移動させることができる。一方現金自動預払機１は、ハーフオープン動作が行われる際は、ポスト１６ｐをレバーロックポジションにおけるハーフロックレバー４０の係止溝端部４０ｇｅに当接させて確実に停止させることができる。
【００７２】
また、一時保留部１６内に詰まった紙幣を巻き戻して排出させる際に、クローズポジションからハーフポジションへ一時保留部１６を遷移させるときは、まずハーフロックレバー４０をレバー退避ポジションからレバーロックポジションへ保守員が回動させることを忘れる可能性は低いものの、一時保留部１６内から紙幣を巻き戻すという作業が終了してハーフポジションからクローズポジションへ一時保留部１６を遷移させるときは、ハーフロックレバー４０等を操作することを保守員が忘れてしまう可能性があると考えられる。
【００７３】
これに対し現金自動預払機１は、ハーフポジションからクローズポジションへ一時保留部１６を遷移させるときは、ハーフロックレバー４０を操作することなく、一時保留部１６を閉鎖方向側へ押すだけでハーフロックレバー４０を退避方向へ回動させるようにした。これにより現金自動預払機１は、外部から保守員が一目で認識可能な、通常の位置よりも後方へ移動している一時保留部１６を閉鎖方向側へ押すという作業を保守員に行わせるだけで、ハーフポジションからクローズポジションへ一時保留部１６を遷移させることができる。
【００７４】
さらに現金自動預払機１は、ハーフポジションからクローズ動作が行われる際に、ハーフロックレバー４０が、重心ＧＣが回動支点Ｐｐよりも開放方向側から閉鎖方向側へ移動することにより自重で退避方向ｒ１へ回動するようにした。このため現金自動預払機１は、スプリング等の付勢部材を別途設けることなく、簡易な構成で、ハーフロックレバー４０の重心ＧＣの位置の移動を利用して、ハーフロックレバー４０をレバーロックポジションからレバー退避ポジションへ回動させることができる。
【００７５】
以上の構成によれば現金自動預払機１は、紙葉状の媒体としての紙幣に関する取引を受け付ける応対部３と、内部に紙幣を収納し、移動方向としての前後方向に沿って開放方向と該開放方向とは逆方向の閉鎖方向とに移動可能な一時保留部１６と、一時保留部１６の移動方向に沿って上後側フレーム３０に形成され、一時保留部１６と共に移動する突起部としてのポスト１６ｐを移動方向に沿って内部に移動可能に保持するスライド溝３２と、スライド溝３２に対し、スライド溝３２が延びる方向に直交する溝直交方向である上下方向の一方向側としての下側に設けられた所定の回動軸としてのシャフト３６を軸として回動可能に構成され、レバーロックポジションにおいてポスト１６ｐに当接することにより、開放方向へ移動した一時保留部１６を第１開放ポジションとしてのハーフポジションで保持するハーフロックレバー４０と、レバーロックポジションにおけるハーフロックレバー４０に当接し、ポスト１６ｐの移動経路に露出する回動方向であるロック方向ｒ２へのハーフロックレバー４０の回動を規制するストッパ３４とを設け、ハーフロックレバー４０は、レバーロックポジションにおいて閉鎖方向側が開放され内部にポスト１６ｐを移動可能に保持する係止溝４０ｇと、レバーロックポジションにおいて係止溝４０ｇの閉鎖方向側に形成されており、閉鎖方向へ向かって溝直交方向の他方向側へ傾斜する閉鎖時傾斜面４０ｐｂとを具え、ハーフポジションから閉鎖方向へ向かって一時保留部１６が移動した際に、ポスト１６ｐが閉鎖時傾斜面４０ｐｂに当接することにより、退避方向ｒ１へ回動してレバー退避ポジションとなり、閉鎖方向へのポスト１６ｐの移動経路から退避するようにした。
【００７６】
これにより現金自動預払機１は、開放方向へ移動する一時保留部１６のポスト１６ｐをレバーロックポジションにされたハーフロックレバー４０に係止させることによりハーフポジションよりも開放方向側へ一時保留部１６が移動しないように保持すると共に、ハーフロックレバー４０が操作されることなく一時保留部１６が閉鎖方向へ移動されるだけで、一時保留部１６によりハーフロックレバー４０を退避方向へ回動させてレバー退避ポジションとし、一時保留部１６をクローズポジションへ移動させることができる。
【００７７】
［２．第２の実施の形態］
［２−１．現金自動預払機及び紙幣入出金機の構成］
図１に示すように、第２の実施の形態による現金自動預払機１０１は、第１の実施の形態による現金自動預払機１と比較して、紙幣入出金機１０に代わる紙幣入出金機１１０を有する点において相違するものの、他の点については同様に構成されている。第２の実施の形態による紙幣入出金機１１０は、第１の実施の形態による紙幣入出金機１０と比較して、ハーフロック機構５０（図７及び図８）に代わるハーフロック機構１５０（図１０及び図１１）を有する点において相違するものの、他の点については同様に構成されている。
【００７８】
［２−２．ハーフロック機構の構成］
それぞれ図６及び図７と対応する部材に同一符号を付した図１０及び図１１に示すように、第２の実施の形態によるハーフロック機構１５０は、第１の実施の形態によるハーフロック機構５０と比較して、ハーフロック機構５０を左側面視で反時計回りに９０［°］回転させたような構成となっていると共に、引っ張りばねであるスプリング６０が追加されている。
【００７９】
スプリング６０は、後端が、ハーフロックレバー４０の本体部４０ｍにおける、係止溝４０ｇの係止溝端部４０ｇｅの下方近傍、すなわち重心ＧＣに相当する箇所に係止している。またスプリング６０は、前端が、上後側フレーム３０におけるシャフト３６のほぼ真前に係止している。
【００８０】
［２−３．一時保留部の移動動作］
次に、一時保留部１６が移動する動作について説明する。
［２−３−１．ハーフオープン動作］
一時保留部１６がクローズポジションにいる場合、図１０（Ａ）に示すように、ポスト１６ｐはスライド溝３２の上端部に位置している。またこのとき、ハーフロックレバー４０は、スプリング６０の付勢力により退避方向ｒ１へ付勢され、スライド溝３２の溝回動軸側端面３２ｄＳよりも前方へ退避してレバー退避ポジションとなっており、所定の係止部が上後側フレーム３０における所定のストッパに当接することにより、レバー退避ポジションにおいてそれ以上の退避方向ｒ１への回動が規制されている。
【００８１】
この状態から保守員がハーフロックレバー４０の回動取手４０ｈに触れることにより、図１０（Ｂ）に示すように、ストッパ当接部４０ｓがストッパ３４に当接するまで、スプリング６０の付勢力に逆らって回動支点Ｐｐを軸としてハーフロックレバー４０をロック方向ｒ２へ回動させる。これによりハーフロックレバー４０は、レバーロックポジションとなる。レバーロックポジションにおいてハーフロックレバー４０は、隆起部４０ｐの開放時傾斜面４０ｐｆがスライド溝３２の溝回動軸側端面３２ｄＳよりも後側に位置する。またハーフロックレバー４０は、回動支点Ｐｐよりも下方向である開放方向側を前方へ向けてスプリング６０により引っ張られるためロック方向ｒ２へ回動しようとし、ストッパ当接部４０ｓがストッパ３４に当接することにより、レバーロックポジションにおいてそれ以上のロック方向ｒ２への回動が規制されている。
【００８２】
続いて保守員が一時保留部１６を開放方向へ移動させる。これに応じてポスト１６ｐはスライド溝３２内を鉛直方向に沿って開放方向へ向かって移動し、図１０（Ｃ）に示すようにハーフロックレバー４０の開放時傾斜面４０ｐｆに当接する。このとき、開放時傾斜面４０ｐｆが開放方向へ向かうに連れて後方へ、すなわち鉛直方向に対しシャフト３６から離隔する方向へ向かうように傾斜している、換言すれば、開放時傾斜面４０ｐｆが、開放方向へ向かうに連れてスライド溝３２内の溝幅を徐々に狭めるように傾斜しているため、ポスト１６ｐから開放時傾斜面４０ｐｆへ、下向きの力と共に前向きの力が加わる。このとき、開放時傾斜面４０ｐｆは回動支点Ｐｐよりも後方且つ閉鎖方向側に位置しているため、ハーフロックレバー４０は、ポスト１６ｐによって隆起部４０ｐが前方へ押され、図１０（Ｄ）に示すように回動支点Ｐｐを軸として退避方向ｒ１へ回動する。さらに保守員が一時保留部１６を開放方向へ移動させると、ポスト１６ｐがハーフロックレバー４０を回動支点Ｐｐを軸として退避方向ｒ１へ回動させ、隆起部４０ｐの突出部４０ｐｐをスライド溝３２の溝回動軸側端面３２ｄＳと同じ前後位置まで前方へ押し、ポスト１６ｐの移動経路から隆起部４０ｐを退避させつつ、開放方向へ移動する。
【００８３】
やがてポスト１６ｐが突出部４０ｐｐの後端部へ到達すると、図１０（Ｅ）に示すように、ポスト１６ｐはハーフロックレバー４０の係止溝４０ｇへ入り込み開放方向へ移動する。このときハーフロックレバー４０は、回動軸逆側突出部４０ｇｐがポスト１６ｐの後側面に当接することにより、それ以上ハーフロックレバー４０が退避方向ｒ１へ回動しないように規制される。
【００８４】
さらに保守員が一時保留部１６を開放方向へ移動させると、図１０（Ｆ）に示すように、ポスト１６ｐがハーフロックレバー４０の係止溝４０ｇの係止溝端部４０ｇｅに到達し、ストッパ当接部４０ｓがストッパ３４に当接するまで、回動支点Ｐｐを軸としてハーフロックレバー４０をロック方向ｒ２へ回動させる。これによりハーフロックレバー４０は、レバーロックポジションとなる。レバーロックポジションにおいてハーフロックレバー４０は、回動支点Ｐｐよりも開放方向側を前方へ向けてスプリング６０により引っ張られるためロック方向ｒ２へ回動しようとし、ストッパ当接部４０ｓがストッパ３４に当接することにより、レバーロックポジションにおいてそれ以上のロック方向ｒ２への回動が規制されている。このためハーフロックレバー４０は、ポスト１６ｐを係止溝４０ｇの係止溝端部４０ｇｅの縁に当接させた状態で、ポスト１６ｐのそれ以上の開放方向への移動を規制する。このとき一時保留部１６は、ハーフポジションとなる。これによりハーフロックレバー４０は、ハーフポジションにおいて一時保留部１６のそれ以上の開放方向への移動を規制する。
【００８５】
［２−３−２．クローズ動作］
次に、ハーフポジションからクローズポジションへ一時保留部１６が移動する動作であるクローズ動作について説明する。
【００８６】
一時保留部１６がハーフポジションにいる場合、図１１（Ａ）に示すように、ポスト１６ｐはハーフロックレバー４０の係止溝４０ｇの係止溝端部４０ｇｅに位置している。またレバーロックポジションにおいて、ハーフロックレバー４０は、隆起部４０ｐの閉鎖時傾斜面４０ｐｂがスライド溝３２の溝回動軸側端面３２ｄＳよりも後側に位置する。またハーフロックレバー４０は、回動支点Ｐｐよりも開放方向側を前方へ向けてスプリング６０により引っ張られるためロック方向ｒ２へ回動しようとし、ストッパ当接部４０ｓがストッパ３４に当接することにより、レバーロックポジションにおいてそれ以上のロック方向ｒ２への回動が規制されている。
【００８７】
この状態から保守員が一時保留部１６を押して上方である閉鎖方向へ移動させる。これに応じてポスト１６ｐはスライド溝３２内を鉛直方向に沿って閉鎖方向へ向かって移動し、図１１（Ｂ）に示すようにハーフロックレバー４０の閉鎖時傾斜面４０ｐｂに当接する。このとき、閉鎖時傾斜面４０ｐｂが閉鎖方向へ向かうに連れて後方へ、すなわち鉛直方向に対しシャフト３６から離隔する方向へ向かうように傾斜している。換言すれば、閉鎖時傾斜面４０ｐｂが、閉鎖方向へ向かうに連れてスライド溝３２内の溝幅を徐々に狭めるように傾斜しているため、ポスト１６ｐから閉鎖時傾斜面４０ｐｂへ、上向きの力と共に前向きの力が加わる。このとき、閉鎖時傾斜面４０ｐｂは回動支点Ｐｐよりも後方且つ閉鎖方向側に位置しているため、ハーフロックレバー４０は、ポスト１６ｐによって隆起部４０ｐが前方へ押され、回動支点Ｐｐを軸として退避方向ｒ１へ回動する。またこのときハーフロックレバー４０は、回動支点Ｐｐよりも閉鎖方向側を前方へ向けてスプリング６０により引っ張られるため退避方向ｒ１へ回動しようとする。さらに保守員が一時保留部１６を閉鎖方向へ移動させると、ポスト１６ｐがハーフロックレバー４０を回動支点Ｐｐを軸として退避方向ｒ１へ回動させ、隆起部４０ｐの突出部４０ｐｐをスライド溝３２の溝回動軸側端面３２ｄＳと同じ前後位置まで前方へ押し、ポスト１６ｐの移動経路から隆起部４０ｐを退避させつつ、閉鎖方向へ移動する。
【００８８】
やがて図１１（Ｃ）に示すようにポスト１６ｐが突出部４０ｐｐの後端部へ到達し、さらに保守員が一時保留部１６を閉鎖方向へ移動させると、図１１（Ｄ）に示すようにポスト１６ｐはハーフロックレバー４０の係止溝４０ｇから抜け出る。
【００８９】
このときハーフロックレバー４０は、回動支点Ｐｐよりも閉鎖方向側を前方へ向けてスプリング６０により引っ張られるため退避方向ｒ１へ回動し、スライド３２の溝回動軸側端面３２ｄＳよりも前方へ退避してレバー退避ポジションとなり、所定の係止部が上後側フレーム３０における所定のストッパに当接することにより、それ以上の退避方向ｒ１への回動が規制される。
【００９０】
さらに保守員が一時保留部１６を閉鎖方向へ移動させると、図１１（Ｅ）に示すように、ポスト１６ｐがスライド溝３２の上端部まで到達し、一時保留部１６は、クローズポジションとなる。
【００９１】
このように第２の実施の形態によるハーフロック機構１５０のハーフロックレバー４０は、クローズ動作が行われる際に、保守員によりハーフロックレバー４０自体を操作されることなく、一時保留部１６を閉鎖方向へ押されるだけで、一時保留部１６のポスト１６ｐによって押されることにより、スプリング６０により前方へ引っ張られる箇所が回動支点Ｐｐよりも開放方向側から閉鎖方向側へ移動し、ポスト１６ｐが係止溝４０ｇから抜け出した際に、スプリング６０の付勢力によりレバー退避ポジションへ回動するようにした。
【００９２】
このため現金自動預払機１０１は、一時保留部１６内に詰まった紙幣を巻き戻して排出させてから、ハーフロックレバー４０を操作することなく、一時保留部１６を閉鎖方向へ移動させるだけで、一時保留部１６の移動に応じてハーフロックレバー４０を退避方向ｒ１へ回動させてレバー退避ポジションとし、ハーフポジションからクローズポジションへ一時保留部１６を遷移させることができる。これにより現金自動預払機１０１は、現金自動預払機１と同様に保守員の手間を削減できる。その他の点においても、第２の実施の形態による現金自動預払機１０１は、第１の実施の形態による現金自動預払機１と同様の作用効果を奏し得る。
【００９３】
［３．他の実施の形態］
なお上述した実施の形態においては、一時保留部フレーム１６ｆから突出しスライド溝３２内を摺動するポスト１６ｐにハーフロックレバー４０を係止させる場合について述べた。本発明はこれに限らず、ポスト１６ｐとは別体で一時保留部１６と連動する種々の部材にハーフロックレバー４０を係止させても良い。
【００９４】
また上述した実施の形態においては、ハーフロックレバー４０が回動支点Ｐｐを軸として退避方向ｒ１とロック方向ｒ２とに回動する場合について述べた。本発明はこれに限らず、ハーフロックレバーがスライド移動等、種々の移動方法で移動することにより、ポスト１６ｐの移動経路から退避する状態とポスト１６ｐの移動経路に露出する状態とに切り替わっても良い。
【００９５】
さらに上述した実施の形態においては、一時保留部１６の左方にのみハーフロックレバー４０を設ける場合について述べた。本発明はこれに限らず、一時保留部１６の左方と右方との両方にハーフロックレバーを設けても良い。その場合、現金自動預払機１は、保守面が左面側であり右面側にはアクセスし難いため、左側のハーフロックレバーと右側のハーフロックレバーとをシャフト等で連結し、左側のハーフロックレバーが操作されると、連動して右側のハーフロックレバーも回動するようにしても良い。
【００９６】
さらに上述した第１の実施の形態において、第２の実施の形態におけるスプリング６０を追加しても良い。
【００９７】
さらに上述した実施の形態においては、顧客との間で紙幣に関する取引処理を行う現金自動預払機１又は１０１の紙幣入出金機１０又は１１０に本発明を適用する場合について述べた。本発明はこれに限らず、例えば各種金券や証券等、或いは入場券や乗車券のような種々の紙葉状の媒体を取り扱う種々の装置に本発明を適用しても良い。
【００９８】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【００９９】
さらに上述した第１の実施の形態においては、利用者応対部としての応対部３と、収納部としての一時保留部１６と、スライド溝部としてのスライド溝３２と、レバーとしてのハーフロックレバー４０と、ストッパとしてのストッパ３４とによって媒体取引装置としての現金自動預払機１を構成し、レバーは、溝部としての係止溝４０ｇと、第１傾斜面としての閉鎖時傾斜面４０ｐｂとを有する場合について述べた。本発明はこれに限らず、その他種々の構成でなる利用者応対部と、収納部と、スライド溝部と、レバーと、ストッパとによって媒体取引装置を構成し、レバーは、その他種々の構成でなる溝部と、第１傾斜面とによって構成されても良い。
【産業上の利用可能性】
【０１００】
本発明は、例えば使用者との間で紙幣に関する入金取引や出金取引を行う現金自動預払機に組み込まれる紙幣入出金機で利用できる。
【符号の説明】
【０１０１】
１……現金自動預払機、２……筐体、２Ａ……筐体開口部、２Ｄ……後面扉、３……応対部、４……カード入出口、５……入出金口、６……操作表示部、７……テンキー、８……レシート発行口、９……主制御部、１０……紙幣入出金機、１０Ｆ……紙幣入出金機フレーム、１０Ｌ……下部ユニット、１０Ｕ……上部ユニット、１１……紙幣制御部、１２……接客部、１３……上前搬送部、１４……鑑別部、１５……上後搬送部、１６……一時保留部、１６ｆ……一時保留部フレーム、１６ｐ……ポスト、１７……リジェクト庫、２１……下搬送部、２２……紙幣収納庫、３０……上後側フレーム、３２、２３２……スライド溝、３２ｄＳ、２３２ｄＳ……溝回動軸側端面、２３２ｖ……Ｖ字部、３４……ストッパ、３６……シャフト、４０……ハーフロックレバー、４０ｍ……本体部、４０ａ……肉抜き孔、４０ｐａ……回動支点孔部、Ｐｐ……回動支点、４０ｐ……隆起部、４０ｐｆ……開放時傾斜面、４０ｐｂ……閉鎖時傾斜面、４０ｐｐ……突出部、４０ｇｐ……回動軸逆側突出部、４０ｇ……係止溝、４０ｇｅ……係止溝端部、４０ｈ……回動取手、４０ｓ……ストッパ当接部、ＧＣ……重心、５０、１５０、２５０……ハーフロック機構、ｒ１……退避方向、ｒ２……ロック方向、６０……スプリング、６２……板ばね。
【図１】
2020194241.tif 000003
【図２】
2020194241.tif 000004
【図３】
2020194241.tif 000005
【図４】
2020194241.tif 000006
【図５】
2020194241.tif 000007
【図６】
2020194241.tif 000008
【図７】
2020194241.tif 000009
【図８】
2020194241.tif 000010
【図９】
2020194241.tif 000011
【図１０】
2020194241.tif 000012
【図１１】
2020194241.tif 000013